【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
表示手段と、
第１使用者情報を表示及び編集する第１編集領域と、第２使用者情報を表示及び編集する第２編集領域とを含む入力画面を、前記表示手段に表示させる表示制御手段と、を備え、
前記表示制御手段は、前記入力画面を表示させる際に、前記第１編集領域とともに、前記第２編集領域の少なくとも一部を表示させることを特徴とする使用者情報入力装置。
【請求項２】
請求項１に記載の使用者情報入力装置において、
前記第１編集領域とともに表示される前記第２編集領域の少なくとも一部は、前記第２使用者情報の項目を示す表示であることを特徴とする使用者情報入力装置。
【請求項３】
請求項１又は請求項２に記載の使用者情報入力装置において、
前記第１編集領域及び前記第２編集領域のうちの少なくともいずれかの編集領域は、
当該編集領域により示される使用者情報を時系列表示する可変表示領域と、
前記可変表示領域による前記使用者情報の表示期間を選択可能な表示切替部と、
前記可変表示領域内を移動可能に配置され、前記可変表示領域の編集対象日時を選択する日時選択部と、を有することを特徴とする使用者情報入力装置。
【請求項４】
請求項１から請求項３のいずれか一項に記載の使用者情報入力装置において、
前記第１使用者情報及び前記第２使用者情報は、食事情報、睡眠情報及び体重情報を含む群から選択された互いに異なる情報であることを特徴とする使用者情報入力装置。
【請求項５】
請求項４に記載の使用者情報入力装置において、
前記第１使用者情報及び前記第２使用者情報のうち一方の使用者情報は、前記食事情報であり、
前記第１編集領域及び前記第２編集領域のうち、前記食事情報を表示及び編集する編集領域は、
前記一方の使用者情報を時系列表示する可変表示領域と、
前記可変表示領域内を移動可能に配置され、前記可変表示領域の編集対象日時を選択する日時選択部と、
前記日時選択部により選択された日時における食事の相対量を選択させる相対量選択部と、を有し、
前記表示制御手段は、選択された前記日時及び前記相対量に対応する図形を前記可変表示領域に設定することを特徴とする使用者情報入力装置。
【請求項６】
請求項５に記載の使用者情報入力装置において、
前記食事の相対量は、少なくとも「多目」、「普通」及び「少な目」を含むことを特徴とする使用者情報入力装置。
【請求項７】
請求項１から請求項６のいずれか一項に記載の使用者情報入力装置において、
前記表示制御手段は、前記入力画面から他の画面に遷移した後に前記入力画面を表示させる場合には、前記第１編集領域及び前記第２編集領域のうち、前記入力画面から前記他の画面に遷移される直前に表示されていた編集領域を表示させることを特徴とする使用者情報入力装置。
【請求項８】
第１使用者情報を表示及び編集する第１編集領域と、第２使用者情報を表示及び編集する第２編集領域とを含む入力画面における前記第１編集領域を表示する際に、前記第１編集領域とともに、前記第２編集領域の少なくとも一部を表示することを特徴とする入力画面表示方法。
【請求項９】
請求項８に記載の入力画面表示方法において、
前記第１編集領域とともに表示される前記第２編集領域の少なくとも一部として、前記第２使用者情報の項目を表示することを特徴とする入力画面表示方法。
【請求項１０】
請求項８又は請求項９に記載の入力画面表示方法において、
前記第１使用者情報及び前記第２使用者情報は、食事情報、睡眠情報及び体重情報を含む群から選択された互いに異なる情報であることを特徴とする入力画面表示方法。
【請求項１１】
請求項８から請求項１０のいずれか一項に記載の入力画面表示方法において、
前記入力画面から他の画面に遷移した後に前記入力画面を表示させる場合には、前記第１編集領域及び前記第２編集領域のうち、前記入力画面から前記他の画面に遷移される直前に表示されていた編集領域を表示することを特徴とする入力画面表示方法。
【請求項１２】
コンピューターに、
第１使用者情報を表示及び編集する第１編集領域と、第２使用者情報を表示及び編集する第２編集領域とを含む入力画面を表示させ、
前記第１編集領域を表示させる際に、前記第１編集領域とともに、前記第２編集領域の少なくとも一部を表示させることを特徴とする入力画面表示プログラム。
【請求項１３】
請求項１２に記載の入力画面表示プログラムにおいて、
前記第１編集領域とともに表示される前記第２編集領域の少なくとも一部として、前記第２使用者情報の項目を表示させることを特徴とする入力画面表示プログラム。
【請求項１４】
請求項１２又は請求項１３に記載の入力画面表示プログラムにおいて、
前記第１編集領域及び前記第２編集領域のうちの少なくともいずれかの編集領域に、前記第１使用者情報及び前記第２使用者情報のうち、当該編集領域により示される使用者情報を時系列表示する可変表示領域と、当該可変表示領域を移動可能に配置され、前記可変表示領域の編集対象日時を選択する日時選択部と、を表示させることを特徴とする入力画面表示プログラム。
【請求項１５】
請求項１２から請求項１４のいずれか一項に記載の入力画面表示プログラムにおいて、
前記第１使用者情報及び前記第２使用者情報は、食事情報、睡眠情報及び体重情報を含む群から選択された互いに異なる情報であることを特徴とする入力画面表示プログラム。
【請求項１６】
請求項１５に記載の入力画面表示プログラムにおいて、
前記第１使用者情報及び前記第２使用者情報のうち一方の使用者情報は、前記食事情報であり、
前記第１編集領域及び前記第２編集領域のうち、前記食事情報を表示及び編集する編集領域に、
前記一方の使用者情報を時系列表示する可変表示領域と、
前記可変表示領域内を移動可能に配置され、前記可変表示領域の編集対象日時を選択する日時選択部と、
前記日時選択部により選択された日時における食事の相対量を選択させる相対量選択部と、を表示させ、
選択された前記日時及び前記相対量に対応する図形を前記可変表示領域に表示させることを特徴とする入力画面表示プログラム。
【請求項１７】
請求項１６に記載の入力画面表示プログラムにおいて、
前記食事の相対量は、少なくとも「多目」、「普通」及び「少な目」を含むことを特徴とする入力画面表示プログラム。
【請求項１８】
請求項１２から請求項１７のいずれか一項に記載の入力画面表示プログラムにおいて、
前記入力画面から他の画面に遷移した後に前記入力画面を表示させる場合には、前記第１編集領域及び前記第２編集領域のうち、前記入力画面から前記他の画面に遷移される直前に表示されていた編集領域を表示させることを特徴とする入力画面表示プログラム。
【手続補正２】
【補正対象書類名】明細書
【補正対象項目名】発明の名称
【補正方法】変更
【補正の内容】
【発明の名称】使用者情報入力装置、入力画面表示方法及び入力画面表示プログラム
【手続補正３】
【補正対象書類名】明細書
【補正対象項目名】０００１
【補正方法】変更
【補正の内容】
【０００１】
本発明は、使用者情報入力装置、入力画面表示方法及び入力画面表示プログラムに関する。
【手続補正４】
【補正対象書類名】明細書
【補正対象項目名】０００８
【補正方法】変更
【補正の内容】
【０００８】
本発明は、入力操作を促すことができる使用者情報入力装置、入力画面表示方法及び入力画面表示プログラムを提供することを目的の１つとする。